(57)【要約】  保護用ヘッドウェアは、第１及び第２の弾性片によって相互に結合された、第１の殻半体及び第２の殻半体を備える。第１及び第２の殻半体の組み合わせは、人の頭を保護するための、保護用ケージを形成する。複数のパッドが、保護用ケージの内面に結合されている。このパッドは、保護用ケージが着用されているときに、人の頭の強固な部分に接触するように、かつケージと人の頭との間に空間を設けるように配置される。軽量で、目立たず、保護機能のあるヘッドウェアを形成するために、野球帽をケージの外面に結合することができる。
2015532951.tif 000002
【特許請求の範囲】
【請求項１】
着用位置にあるときに、人の頭を囲む形状とされた保護用ケージを形成するために、第１の弾性片及び第２の弾性片によって相互に連結された、第１の殻半体及び第２の殻半体と、
前記保護用ケージの内面に結合され、前記保護用ケージが前記着用位置にあるときに、前記人の頭の強固な部分に接触するように配置された複数のパッドとを備え、
前記複数のパッドは、前記保護用ケージが前記着用位置にあるときに、前記ケージと、前記人の頭との間に空間を作るための厚さ及び位置を有する
保護用ヘッドウェア。
【請求項２】
前記第１の殻半体及び前記第２の殻半体が、通気及び重量軽減のための隙間をそれぞれ有する
請求項１に記載の保護用ヘッドウェア。
【請求項３】
前記第１の殻半体及び前記第２の殻半体のそれぞれが、
前記人の頭の周囲に周方向に形成され配置された複数のレールを備える
請求項２に記載の保護用ヘッドウェア。
【請求項４】
前記複数のレールが、前記人の額の部分で、前記着用者の頭の周囲に周方向に形成され配置された第１の組のレールと、前記人の頭の後部の部分で、前記人の頭の周囲に周方向に形成され配置された第２の組のレールと、前記着用者の頭の側頭部領域で、前記人の頭の周囲に周方向に延びるように形成され配置された側頭部レールの組とを含む
請求項３に記載の保護用ヘッドウェア。
【請求項５】
前記複数のレールが、複数の隙間を画定している
請求項４に記載の保護用ヘッドウェア。
【請求項６】
前記着用者の頭の前記側頭部領域において、前記ケージから延びている帽子取り付け部分と、前記着用者の前記額の部分において、前記ケージから延びているつば取り付け部分とをさらに備える
請求項５に記載の保護用ヘッドウェア。
【請求項７】
前記帽子取り付け部分、及び前記つば取り付け部分に結合された野球帽をさらに備える
請求項６に記載の保護用ヘッドウェア。
【請求項８】
前記パッドが、前記ケージが着用位置にあるときに、前記パッドが前記人の頭の強固な部分に接触するような位置で前記ケージに配置され、前記強固な部分が、前記人の頭の前記額の部分と、前記人の顎骨上部の部分と、前記人の頭の側頭部領域の部分と、前記人の頭の前記後部の部分とを含む
請求項５に記載の保護用ヘッドウェア。
【請求項９】
前記第１の組のレールが、前面重なり部分で前部垂直レールに連結され、前記人の頭の前記額の前記部分が、前記前面重なり部分と同一の位置であり、
前記第１の組のレールが、顎骨重なり部分で前記側頭部レールの組に連結され、前記人の顎骨上部の前記部分が、前記顎骨重なり部分と同一の位置であり、
前記側頭部レールの組が、側頭部重なり部分で前記第２の組のレールに連結され、前記人の頭の前記側頭部領域の前記部分が、前記側頭部重なり部分と同一の位置であり、
前記第２の組のレールが、後部重なり部分で後部垂直部分に連結され、前記人の頭の前記後部の前記部分が、前記後部重なり部分と同一の位置である
請求項８に記載の保護用ヘッドウェア。
【請求項１０】
前記保護用ケージの側面に結合された、耳保護具をさらに備える
請求項１に記載の保護用ヘッドウェア。
【請求項１１】
着用位置にあるときに、人の頭を囲む形状とされた保護用ケージを形成するために、第１の弾性片及び第２の弾性片によって相互に結合された、第１の殻半体及び第２の殻半体と、
前記保護用ケージの内面に結合され、前記保護用ケージが前記着用位置にあるときに、前記人の頭の強固な部分に接触するように配置された複数のパッドであって、前記複数のパッドが、前記保護用ケージが前記着用位置にあるときに、前記ケージと、前記人の頭との間に空間を作るための厚さ及び位置を有する、複数のパッドと、
前記ケージの外面に結合された野球帽とを備える
保護用ヘッドウェア。
【請求項１２】
前記複数のパッドが、前記保護用ケージが前記着用位置にあるときに、前記人の頭に実質的に接触する、前記ヘッドウェアの唯一の部分である
請求項１１に記載の保護用ヘッドウェア。
【請求項１３】
前記第１の殻半体及び前記第２の殻半体のそれぞれが、着用者の頭の周囲に周方向に延びるように形成され配置された複数のレールを備える
請求項１１に記載の保護用ヘッドウェア。
【請求項１４】
前記複数のレールが、前記着用者の額の部分で、前記着用者の頭の周囲に周方向に延びるように形成され配置された第１の組のレールと、前記着用者の頭の後部の部分で、前記着用者の頭の周囲に周方向に延びるように形成され配置された第２の組のレールと、前記着用者の頭の側頭部領域で、前記着用者の頭の周囲に周方向に延びるように形成され配置された側頭部レールの組とを含む
請求項１３に記載の保護用ヘッドウェア。
【請求項１５】
前記複数のレールが、複数の隙間を画定している
請求項１４に記載の保護用ヘッドウェア。
【請求項１６】
前記着用者の頭の前記側頭部領域において、前記ケージから延びている帽子取り付け部分と、前記着用者の額の前記部分において、前記ケージから延びているつば取り付け部分とをさらに備える
請求項１５に記載の保護用ヘッドウェア。
【請求項１７】
前記野球帽が、前記帽子取り付け部分、及び前記つば取り付け部分に結合されている
請求項１６に記載の保護用ヘッドウェア。
【請求項１８】
前記人の頭の前記強固な部分が、前記人の頭の前記額の部分と、前記人の顎骨上部の部分と、前記人の頭の側頭部領域の部分と、前記人の頭の前記後部の部分とを含む
請求項１５に記載の保護用ヘッドウェア。
【請求項１９】
前記第１の組のレールが、前面重なり部分で前部垂直レールに連結され、前記人の頭の前記額の前記部分が、前記前面重なり部分と同一の位置であり、
前記第１の組のレールが、顎骨重なり部分で前記側頭部レールの組に連結され、前記人の顎骨上部の前記部分が、前記顎骨重なり部分と同一の位置であり、
前記側頭部レールの組が、側頭部重なり部分で前記第２の組のレールに連結され、前記人の頭の前記側頭部領域の前記部分が、前記側頭部重なり部分と同一の位置であり、
前記第２の組のレールが、後部重なり部分で後部垂直部分に連結され、前記人の頭の前記後部の前記部分が、前記後部重なり部分と同一の位置である
請求項１８に記載の保護用ヘッドウェア。
【請求項２０】
前記保護用ケージの左側に結合された、耳保護具をさらに備える
請求項１１に記載の保護用ヘッドウェア。
【発明の詳細な説明】
【技術分野】
【０００１】
本願は、保護用ヘッドウェアに関し、より詳細には、着用者に負担をかけずに、野球帽等の保護機能のない帽子と統合するための保護用ヘッドウェアに関する。
【背景技術】
【０００２】
保護用ヘッドウェアは、一般的には、着用者の頭部を囲む硬い覆いで構成される。保護用ヘッドウェアには様々なものがあり、パッド、サイズ、快適性、及び美的な特徴等の多くの特徴があり、特定用途向けにあつらえることができる。
【０００３】
保護用ヘッドウェアの重要な用途の１つは、野球の試合中に使用するヘッドウェアである。打者は通常はヘルメットを着用しているが、これは一般にかなり大きく、重く、かさばって非常に目立つ。バッティングヘルメットは、通常は、頭と耳を完全に覆う大きい覆いを有し、硬質プラスチック材料と、快適性のための内部のパッドとで作られている。バッティングヘルメットは、通気があまり良好でないため、温度が上昇して不快感をもたらす場合がある。このため、バッティングヘルメットを長時間着用することや、野球の試合で打者以外の役割をしているときに、このようなヘルメットを着用することは望ましくない。
【０００４】
フィールドにいる野手、投手、及びコーチは、通常は、保護用のパッドその他の機能のない野球帽を着用しているため、野球ボールやバットが頭に当たることから保護されていない。投手は、打者に最も近い野手の１人であり、しばしばバランスを崩している際に、直接投手に向かって打たれた速いライナーボールの通り道にいることが多い。一塁及び三塁ベースコーチも、強打されたファウルボールの直線上にいることが多い。野手も、試合の様々な局面の中で、頭を保護する必要性がある。
【０００５】
野球での頭部損傷は、極めてまれではあるが、特異で限定的な性質を有する傾向があり、外傷性が高い場合がある。例えば、投げたボールが打たれて、ライナーが直接投手に返ってくるとき、ボールは最高時速１３０マイルの速度で飛ぶことがあり、投手が反応するための時間は、わずかしか与えられない。野球ボールがこの速度で飛ぶということは、投手の頭に当たったボールの衝撃によって、重傷となる可能性も示している。頭蓋や顔面の損傷を含む、重症その他の多くの損傷は、野球のボールが頭に当たることによって引き起こされている。
【０００６】
頭の保護具は、全ての野球選手やコーチにより使用可能であるが、快適性の欠如、必要性に欠けるという認識、習慣及び伝統、あるいは大きくて重いヘルメットを被る意欲の欠如等の理由のために、めったに用いられない。野手、投手、及びコーチは、打者よりも長時間フィールドにいるが、このことも、選手やコーチが、保護用ヘッドウェアを前述のように使用する一因である。投手、選手、及びコーチが重傷を負うと、世間の論議の的となるが、一般的には、非常にまれなことなので、投手、選手、及びコーチの１人１人には予防措置が講じられていない。
【０００７】
したがって、過去の問題を克服して、全ての選手及びコーチに保護用ヘッドウェアの使用が奨励されるように、保護機能があり、快適で、使いやすく、目立たず、伝統や習慣に適合した保護用ヘッドウェアを提供することは、有益であろう。
【発明の概要】
【０００８】
そこで、負傷を軽減する効果があり、目立たず、快適で、着用可能なヘッドウェア製品が提供される。好ましい実施形態において、このヘッドウェアは、受け入れられ着用されつつ、野球選手やコーチを最も一般的な負傷から保護するようにバランスをとろうと試み、野球帽の形状をとっている。ヘルメットを着用しないことには保護はもたらされないためである。
【０００９】
一般的に、弾性片を介して結合された、高剛性で多部品のケージを備える、好ましい保護用ヘッドウェアが、本明細書において提供される。この保護用ヘッドウェアは、着用位置にあるときに、人の頭を囲む形状となる保護用ケージを形成するために、第１の弾性片及び第２の弾性片によって相互に結合された、第１の殻半体及び第２の殻半体と、保護用ケージの内面に結合され、保護用ケージが着用位置にあるときに、人の頭の強固な部分に接触するように配置された複数のパッドとを備え、複数のパッドは、保護用ケージが着用位置にあるときに、ケージと人の頭との間に空間を作るための厚さと位置を有する。
【００１０】
また、着用位置にあるときに、人の頭を囲む形状となる保護用ケージを形成するために、第１及び前面の第２の細片によって相互に結合された、第１の殻半体及び第２の殻半体と、保護用ケージの内面に結合され、保護用ケージが着用位置にあるときに、人の頭の強固な部分に接触するように配置された複数のパッドであって、保護用ケージが着用位置にあるときに、ケージと人の頭との間に空間を作るための厚さ及び位置を有する、複数のパッドと、ケージの外面に結合された野球帽とを備えた保護用ヘッドウェアも提供される。
【００１１】
さらなる特徴及び利点が、以下に記載されている資料を参照することによって、明らかになるであろう。
【図面の簡単な説明】
【００１２】
【図１】図１は、頭に着用された保護用ヘッドウェアの等角図である。
【図２】図２は、保護用ヘッドウェア及び頭部の組立分解等角図である。
【図３】図３は、保護用ヘッドウェアの背面図である。
【図４】図４は、保護用ヘッドウェアの上面図である。
【図５】図５は、保護用ヘッドウェアの左側面図である。
【図６】図６は、保護用ヘッドウェアの前面図である。
【図７】図７は、パッドが接する頭の領域を含む、着用者の頭の左側面図である。
【図８】図８は、パッドが接する頭の領域を含む、着用者の頭の右側面図である。
【図９】図９は、従来の野球用の帽子に結合された、保護用ヘッドウェアの等角図である。
【図１０】図１０は、特別にあつらえた野球帽に結合された、保護用ヘッドウェアの等角図である。
【００１３】
次に、図面を参照しながら説明するが、異なる図面の類似の要素は、同一の参照符号を有している。
【発明を実施するための形態】
【００１４】
図面及び以下の開示で、野球帽等の帽子に取り付けられるか、又は組み込まれる保護用ヘッドウェアを示し説明する。このヘッドウェアを完全に理解するための、ヘッドウェアの多くの具体的な詳細が含まれている。ただし、本開示には他の実施形態があり得ることや、本開示の実施形態は、以下の説明に従ったいくつかの細部を用いることなく実施できることが、当業者には明らかであろう。例えば、特定の実施形態が、特定の材料の使用を参照する際、必要や要求に応じて他の材料を使用してもよいことが、当業者には理解される。本開示の概念は、他の種類の帽子にも適用することができる。
【００１５】
このヘッドウェアの設計には、一般的な負傷の位置や、そのような負傷の性質を含む、多くの要因が考慮されている。強打された野球ボール等の物体が頭に接近すると、それを避けようとして、体の向きを変えたりすくんだりする人間の一般的な性質のために、頭蓋の側頭葉領域が、直撃にさらされる。投手、選手、及びコーチの頭に野球ボールが当たった多くの事例において、ボールは頭蓋の側頭葉領域に当たっている。この部分は、頭蓋の構造上、損傷に対して最も脆弱な部分の１つである。このような部分の位置は、ヘッドウェアの設計において考慮されている。
【００１６】
さらに、頭に当たる野球ボールの性質は、独特である。選手が着用したヘルメットを野球ボールが直撃したとき、ボールは、通常は選手から離れるようにそれるため、二次衝突の可能性はわずかである。このため、ヘルメットは、ボールの衝撃力を緩和する効果を完全に発揮しつつ、壊れたり、移動したり、飛んでいってもよい。ヘルメットが壊れたり、移動したり、飛んでいったりするときに、飛んで来たボールのエネルギーの多くが吸収されるため、ヘルメットの着用者に移動するエネルギーは少ない。このような特徴もまた、ヘッドウェアの設計において考慮されている。
【００１７】
別の問題は、野球選手に受け入れられるようにする問題である。フィールドで使用するための保護用ヘッドウェアは、以下のようなものでなければならない。（ｉ）選手やコーチが実際に着用するように、十分に邪魔にならない（すなわち、選手の競技上の動作、視界、及び聴覚に干渉するべきではない）、（ｉｉ）過熱を防止するように通気性が良好なことを含めて、快適である、（ｉｉｉ）野球帽を被ったり脱いだりする頻繁で習慣的な動作に対応するために、使用が容易である、（ｉｖ）軽量である。
【００１８】
このヘッドウェアの設計は、多くの点で、これらの機能を考慮に入れている。例えば、頭蓋の強固な位置で着用者の頭蓋に接触するパッドが設けられ、衝突の際に、頭蓋のより脆弱な位置で、着用者の頭蓋に接触しないようにされている。また、このヘッドウェアは、ヘッドウェアの様々な部分が、衝撃の一部のエネルギーを吸収できるよう、一定の柔軟性をもつように設計されている。分割構造、パッドおよび弾性層は、この機能の実現に役立つ。
【００１９】
さらに、野球選手やコーチにこのヘッドウェアが受け入れられるようにするため、本明細書のヘッドウェアは、従来の標準的な野球帽の形状を有する帽子を、快適性、柔軟性、装着性、及び投手の習慣の変化の点で、着用者への影響が最小限である保護用ヘッドウェアと合体させるという解決策を提示する。
【００２０】
一般に、ヘッドウェア１００は、着用者の頭に接触するためのパッドに結合された、多部品のケージの形態の、硬い殻体を備えている。ケージは、右側及び左側の殻半体１０２、１０４に分割され、より調節可能で装着感を快適にするために、弾性片を介して前後で連結されている。別の実施形態において、殻半体は、前部及び後部の殻半体として形成し、側方で連結することもできる。このヘッドウェアについて、図１〜図６を総合して考慮に入れながら説明するが、明確にするために、野球帽部分を除外して、硬い内部殻体のみを示す。ケージは、衝撃を頭蓋の側頭葉領域からそらして遠ざけ、その衝撃を頭蓋のより強固な部分に導くように作用する（図７及び図８を参照しながら、以下で説明する）。以下で説明するように、ケージは、省スペース性、及び実用的な有用性を高めるために、図９及び図１０に示されているように、帽子と合体させることが好ましい。
【００２１】
ヘッドウェア１００は、２つの殻半体を備えている。右側の殻半体１０２、及び左側の殻半体１０４は、着用者の頭を囲んでぴったりと合い、帽子のような装着感をもたらし、かつわずかな衝撃で壊れる（ｂｒｅａｋ−ａｗａｙ）特性や撓み性をもたらす形状になっている。殻半体１０２、１０４は、保護機能をもたらす役目を果たす、ポリカーボネート等の剛性材料で作成される。２つの殻半体１０２と１０４との間には、垂直隙間１１０ａ及び１１０ｂが存在し、右側の殻半体１０２と、左側の殻半体１０４とを周方向に分離している。後部の垂直隙間１１０ｂは、前部の垂直隙間１１０ａよりも幅が広い。後部の垂直隙間１１０ｂの幅の方がより広いのは、後部にボールが衝突する可能性は、前部に衝突する可能性ほど高くないと予想されるためであり、したがって、剛性材料を削減することで、重量の軽減につながる。しかしながら、隙間１１０ｂ、１１０ａの両方の幅は、重量、保護する部分、吸収する撓みエネルギーその他の特性等の、ヘッドウェア１００の特性を変化させるために、変更させることができる。この隙間は、前部の殻半体と、後部の殻半体との間の側方に形成することもできる。
【００２２】
弾性片１０８ａ及び１０８ｂが、垂直隙間１１０ａ及び１１０ｂに配置されている。２つの殻半体１０２、１０４は、弾性材料１０８ａ、１０８ｂを介して連結されている。１０８ａは前部の弾性片、１０８ｂは後部の弾性片である。隙間及び弾性材料は、異なる構成で設けることができる。例えば、隙間は、垂直隙間ではなく、斜め方向であってもよく、湾曲していたり、隙間の幅に変化があったり、他の点で異なる形状とされたりしてもよい。弾性片は、使い勝手の良さ、快適性、及び調節機能をもたらす。弾性材料は、垂直隙間１１０ａ及び１１０ｂの両方において、殻半体１０２、１０４の両方に結合している。あるいは、弾性片には、さらなる快適性やサイズ決定のために隙間の幅を調節するための調節機能を設けることができる。
【００２３】
弾性材料１０８ａ及び１０８ｂは、垂直隙間１１０ａ及び１１０ｂを埋める、弾性材料の垂直片の形状とされる。これらの弾性材料１０８ａ、１０８ｂは、その他の部分は硬いヘルメットに、ある程度の圧縮性をもたらすことによって、ボールがヘルメットに当たったときに、衝撃を吸収する機能を果たす。弾性材料１０８ａ、１０８ｂは、飛んで来たボールの運動エネルギーの一部が吸収され、飛んでいくボールの速度が減少することを確実にすることによって、衝撃のエネルギーを削減する撓み機能も果たす。弾性材料１０８ａ、１０８ｂは、この帽子の全体構造に伸縮性を与えることによって、この帽子を簡単に着脱できるようにする目的も果たしている。弾性材料１０８ａ、１０８ｂは、衝撃を受けたときに、撓んでエネルギーの一部を吸収することによって、ボール等の物体によってケージに加えられた衝撃のエネルギーの一部を吸収する役割も果たす。好ましい弾性材料は、長寿命で、洗浄による劣化や日光への露出に対する耐性がなければならず、柔軟でありながら衝撃に耐える強度があり、着用者の頭に接触して快適でなければならず、繰り返し使用した後に伸びてはならない。
【００２４】
２つの殻半体１０２、１０４は、ほぼ周方向に延び、必要な剛性及び保護をもたらすレール１２０と、着用者の頭に通気を確保できるように、ここを通って空気が流れることができる、レール同士の間の隙間１１６とを備える、ケージの形状で構成されている。
【００２５】
好ましい実施形態において、第１の組のレール１２２は、ヘッドウェア１００の額領域に沿って延び、顎骨領域に向かって下向きに曲がっている。第１の組のレール１２２のうち、着用者の頭の最下部にあるものは、顎骨領域まで完全には下がらず、着用者の目の上方の位置で終わっている。前部垂直レール１２８は、ヘッドウェア１００の前部で、第１の組のレール１２２と結合している。前部垂直レール１２８は、第１の組のレール１２２のレールよりも厚く、その長さに沿って、厚さをわずかに変化させることができる。前部垂直レール１２８の厚さによって、衝突するボールからの大きな力が、着用者の額に接触しているパッドを通って、頭蓋の強固な部分である着用者の額へと移動することができる。
【００２６】
第２の組のレール１２４は、ヘッドウェア１００の後部領域に沿って、周方向に延びている。この第２の組のレール１２４は、頭蓋のほぼ後部の位置から、耳のほぼ真上の位置へと延びており、着用者の頭の後部の周囲を周方向に覆っている。後部垂直レール１３０は、ヘッドウェア１００の後部で、第２の組のレール１２４と結合している。後部垂直レール１３０は、第２の組のレール１２４のレールよりも厚く、このことがボールその他の物体の衝突から、着用者の頭の後部を保護するのを補助する役割を果たし、かつパッド１０６ｄを取り付ける場所を設ける。特に図３に示されているように、後部垂直レール１３０の内面は、着用者の頭に接触させるためのパッド１０６ｄで覆われている。着用者の耳の近くでは、垂直コネクタ１３１が、第２の組のレール１２４の複数のレールを連結している。第１の組のレールと同様に、第２の組のレールもまた、着用者の頭の通気用の隙間１１６を画定している。ケージは、殻体材料が保護の要所に配置されるような構成及び形状とすることができ、隙間１１６は、着用者の保護のために硬い殻体が必要とされない場所で、通気をもたらすために存在する。あるいは、隙間は、ボール等の物体が、着用者の頭に直接衝突するのを防ぐのに十分なほどに、単に小さくすることができる。
【００２７】
側頭部レール１２６は、ヘッドウェア１００の側頭部領域に沿って延びており、第１の組のレール１２２と、第２の組のレール１２４との両方に連結されている。側頭部レール１２６は、２つある。下方の側頭部レールは、ほぼ顎骨領域で、第１の組のレール１２２のレールの１つと結合している。２つのレールが重なるこの位置に、パッド１０６ｂが取り付けられる補強部が設けられる。下方のレールは、また、第１の組のレール１２２の、上方の２本のレールにも結合される。上方の側頭部レールは、第１の組のレール１２２の３本のレールの全てと結合して重なる。側頭部レール１２６と、第１の組のレール１２２との交差部によって、隙間１１６が画定される。
【００２８】
このレールは、投射物が着用者の頭に衝突するのを阻止する、ポリカーボネート材料等の剛性又は半剛性材料で全て作られていることが望ましい。ケージの形状は、レールを有するものとして開示され、これはいくつかの利点をもたらすが、ケージの構造は、完全に中実、穴を有して完全に中実、様々な構成のレールの組み合わせ、その他の異なる構成を含む、多種多様な構成のいずれを含んでいてもよいことが、理解されるべきである。さらに、開示したケージ／レールの構成は、隙間１１６の位置を変えることによって、ケージの厚さを異なる場所で変化させることによって、あるいは他の方法で変更することができる。ケージに対する任意の変更は、以下の２つの競合する問題を考慮に入れて、なされるべきである。１）ケージによってもたらされる保護の水準。これはとりわけ、ケージの材質やケージの厚さを変えることによって変化する場合がある。２）重量、通気口（例えば隙間１１６）等の特徴やその他の特徴によってもたらされる、快適性及び通気の水準。
【００２９】
パッド１０６ａ、１０６ｂ、１０６ｃ、及び１０６ｄは、ボールが着用者の頭に当たった場所から、元来より強固である、着用者の頭蓋の他の場所へと、衝撃力の方向を変えるために設けられる（図７及び図８を参照、後述）。構造レールは、複数のパッドの上方、及びパッド同士の間で浮いている。したがって、レール上の衝撃力は、より脆弱な側頭葉部分からそれて、頭蓋のより強固な部分に向かう。パッドは、衝撃を吸収するのに十分なクッション性をもたらす、発泡材その他の材料で作成することができる。パッドは、衝撃吸収のための剛性と、心地よさのための柔軟性とのバランスがとれているべきである。パッドは、また、汗吸収や快適さをもたらすための布で囲まれていてもよい。図３及び図４を参照すると、パッドには、野球ボールからの直接的な衝撃を吸収するのに十分な大きさの、額に配置されたパッド１０６ａと、同様に顎骨上部に配置されたパッド１０６ｂと、耳の上方に配置されたパッド１０６ｃとが含まれる。これらは例示の位置であって、パッドの位置、形状、及びサイズは、必要に応じて調節できることに注意するべきである。これらの各パッドは、２本のレールの交差部に配置され、これらの主要部分で、十分な構造強化をもたらす。パッドは、必要な重量、快適性、保護、通気をもたらすため、かつ他の要素を考慮に入れるために、サイズ、位置、数その他の要素について、必要に応じて調節できることが理解されるべきである。パッドは、パッドの除去及び再取り付けを容易にする、接着剤その他の種類の固定具（ＶＥＬＣＲＯ（登録商標）等）で、着脱可能又は着脱不可に取り付けることができる。
【００３０】
縫合部分１１８は、ヘッドウェア１００を野球帽に取り付けるために設けられる。図９は、標準的な野球帽２００に組み込まれたヘッドウェアを示している。ヘッドウェア１００のいくつかの部分は、野球帽がヘッドウェア１００の大部分を覆っている際でも、見えていてもよい。図１０に示す別の実施形態において、ヘッドウェア１００は、特別にあつらえた野球帽２１０に組み込むことができる。野球帽２１０は標準的な野球帽のように見えるが、着用者の頭頂骨／側頭骨の領域において、及び帽子の後部において、帽子の側面に切り取り部分２１２を有する。切り取り部分２１２は、ヘッドウェア１００の上面の形状であり、流線型の外観を与え、かつ着用者の耳の位置の周囲の余分な部分を除去するために、帽子から一定量の材料を除去している。縫合部分１１８は、小さい板状延長部であり、側頭部領域、及び顎骨上部に配置されたパッド１０６ｂの部分から、上向きに延びている。任意の望ましい材料の糸又は撚り糸が、縫合部分１１８の複数の穴１１９に通されて縫われるか、又はその他の方法で、野球帽に取り付けられてもよい。例えば、ヘッドウェアを野球帽に取り付ける別の方法には、リベットを使用する、綴じる、接着する、又はその他の方法が含まれる。
【００３１】
つば取り付け部分１１２は、野球帽のつばを取り付けるために設けられている。また、上部の帽子取り付け部分１２７にも、野球帽の上部への取り付け用の穴１２９が設けられている。縫合部分１１８と同様に、任意の望ましい材料の糸又は撚り糸が、つば取り付け部分１１２、及び上部の帽子取り付け部分１２７の複数の穴１１３、１２９に通されて、野球帽に取り付けられてもよい。他の取り付け方法も用いることができ、リベットを使用する、綴じる、接着する、又はその他の上述した方法が含まれる。
【００３２】
耳保護具１１４は、側面衝突から耳を保護するために、ヘッドウェア１００の片側又は両側に設けることができる。耳保護具１１４は、ケージのレールと同様の剛性材料で作られることが好ましい。耳保護具１１４もまた取り外し可能であり、スナップ式機構Ｖｅｌｃｒｏを使用を介して、あるいは他の手段を介して、ヘッドウェア１００の残りの部分に結合することができる。
【００３３】
図７及び図８は、人の頭蓋を示している。人の頭蓋は、あらゆる場所で、一様に強固なわけではない。脆弱な部分も、強固な部分もある。強固な部分の一部が、図７及び図８に示されている。これらの部分には、額部１５６ａ、（ほぼ頬骨の部分にある）顎骨上部１５６ｂ、耳上方部１５６ｃ（頭頂骨の低部）、及び後部１５６ｄ（頭頂骨の後部又は後頭骨）が含まれる。開示されているヘッドウェア１００が、着用者の頭の着用位置にあるとき、前述のパッド１０６ａ、１０６ｂ、１０６ｃ、及び１０６ｄは、対応する強固な部分１５６ａ、１５６ｂ、１５６ｃ、及び１５６ｄで、帽子着用者の頭１５０に接して置かれる。剛性のケージ、及びこれらのパッドの位置は、野球ボール等の接近する物体からの衝撃力を、頭蓋の弱い部分から、頭蓋１５０の強固な部分１５６ａ、１５６ｂ、１５６ｃ、及び１５６ｄに分散するのに役立つ。
【００３４】
様々な実施形態を参照しながら本開示について説明したが、本開示の範囲から逸脱することなく、様々な変更を加えることができ、その要素を等価物で置き換えてもよいことが、当業者には理解される。また、特定の状況に適応するために、その本質的な範囲から逸脱することなく、本開示の教示に多くの変更が加えられてもよく、例えば、ヘッドウェアの材料は、重量、費用、及び機械的特性のバランスをとるために変更することができ、ヘッドウェアの形状は、別の試験に基づいて変更することができ、保護用ヘッドウェアと標準的な野球帽との結合部分を変えることができる。本開示は、本明細書で開示された、本開示を実施するために考えられた特定の実施形態に限定されないことを意図しているが、本開示は、添付の特許請求の範囲内に入る、構成、変更、又は組み合わせを含むことを意図している。
【図１】
2015532951.tif 000003
【図２】
2015532951.tif 000004
【図３】
2015532951.tif 000005
【図４】
2015532951.tif 000006
【図５】
2015532951.tif 000007
【図６】
2015532951.tif 000008
【図７】
2015532951.tif 000009
【図８】
2015532951.tif 000010
【図９】
2015532951.tif 000011
【図１０】
2015532951.tif 000012
【国際調査報告】
2015532951.tif 000013